【手続補正書】
【提出日】平成19年8月21日(2007.8.21)
【手続補正１】
【補正対象書類名】明細書
【補正対象項目名】特許請求の範囲
【補正方法】変更
【補正の内容】
【特許請求の範囲】
【請求項１】
文書上に光学的ウォーターマークを作る方法であって、
ａ）必要とされる複数のウォーターマーク層と前記複数のウォーターマーク層の各々についてのドットパターンとを決める段階と、
ｂ）前記複数のウォーターマーク層の各々について少なくとも１つの潜像オブジェクトを選び、各潜像オブジェクトをそれぞれのウォーターマーク層内に埋め込む段階と、
ｃ）前記ウォーターマーク層を重ねて前記ウォーターマークを形成する段階と、
ｄ）前記複数のウォーターマーク層の各々についてデコーダを定義して生成する段階と、
ｅ）前記光学的ウォーターマークを前記文書に適用する段階と、
を有する方法。
【請求項２】
前記複数のウォーターマーク層の各々についての前記ドットパターンは、２次元ディジタル画像面上に定義されたパターンである、請求項１記載の方法。
【請求項３】
前記ドットパターンは、基本的な２次元ドットアレイ、基本的な２次元ドットアレイの線形座標マッピング、およびランダム分布のドットアレイからなる群から選択されている、請求項１または２に記載の方法。
【請求項４】
前記ドットパターンはまた、基本的な２次元ドットアレイの非線形座標マッピングを含む、請求項１または２に記載の方法。
【請求項５】
前記ドットパターンは、一組の基本的な及び他の形式の２次元ドットアレイに対する一組の演算の結果である、請求項２記載の方法。
【請求項６】
前記潜像オブジェクトは応用にとって重要である情報を含んでおり、前記情報は、前記文書からの番号、重要な名称、ボイド、及びコピイからなる群から選択されている、請求項１ないし５のうちのいずれかの１つに記載の方法。
【請求項７】
前記潜像オブジェクトは、変調方法により各ウォーターマーク層内に埋め込まれている、請求項１ないし６のうちのいずれかの１つに記載の方法。
【請求項８】
前記変調は位相変調であり、前記位相変調は、前記潜像オブジェクトの縁に沿ったどんな急な位相変化も平滑化するための後処理を含んでおり、そして、変調後に、前記ウォーターマーク層およびそのデコーダは、各々、前記潜像オブジェクトとランダム関数とに基づいて生成される前記潜像オブジェクトの前記情報の一部を帯びている、請求項７記載の方法。
【請求項９】
前記デコーダは、前記ウォーターマーク層のキャリヤドットパターンのドットパターン構造に関連するデコーダ構造を、前記潜像オブジェクトが埋め込まれている方向に有しており、その関係は、同じものおよび連結したものからなる群から選ばれる、請求項１ないし８のうちのいずれかの１つに記載の方法。
【請求項１０】
前記ウォーターマーク層は、互に異なっており、またそれらの層が重ねられた結果それらの層の間で干渉を回避するのに十分な程に異なっており、前記ウォーターマーク層の１つは偽造品を防ぐ層であり、この層のための前記デコーダはフォトコピイ機であり、そして、前記偽造品を防ぐ層で前記ウォーターマーク層を重ねた後に、非オブジェクト領域内の隣接するドットに近すぎるドットを除去するための後処理段階を含んでいる、請求項１ないし９のうちのいずれかの１つに記載の方法。
【請求項１１】
保護および認証のための文書を印刷する方法に含まれる場合に、
ａ）印刷の前に前記文書の真正と著作権とを確認する段階と、
ｂ）請求項１記載の方法により前記光学的ウォーターマークを生成する段階と、
ｃ）前記文書と前記光学的ウォーターマークとを攻撃から保護するために印刷プロセスを制御する段階と、
ｄ）前記文書の前記真正を確認できるようにするためにデコーダデバイスを生成して前記デコーダデバイスを分配する段階と、
を含んでいる、請求項１ないし１０のうちのいずれかの１つに記載の方法。
【請求項１２】
前記光学的ウォーターマークはカラー文書に拡張され、前記ウォーターマーク層は様々なカラー空間内の異なるカラーチャンネル中にあり、カラー空間CMY／CMYK，HIS，XYA，Yuv，及びRGBが使用される、請求項１ないし１１のうちのいずれかの１つに記載の方法。
【請求項１３】
文書上で使用するための光学的ウォーターマークであって、
ａ）複数のウォーターマーク層の各々がドットパターンである、必要とされる複数のウォーターマーク層と、
ｂ）各ウォーターマーク層内に埋め込まれた少なくとも１つの潜像オブジェクトと、
ｃ）前記光学的ウォーターマークを形成するために重ねられている前記ウォーターマーク層と、
を有する光学的ウォーターマーク。
【請求項１４】
前記複数のウォーターマーク層の各々についての前記ドットパターンは、２次元ディジタル画像面上で定義されたドットパターンである、請求項１３記載の光学的ウォーターマーク。
【請求項１５】
前記ドットパターンは、基本的な２次元ドットアレイ、基本的な２次元ドットアレイの線形座標マッピング、およびランダム分布のドットアレイからなる群から選択されている、請求項１３または１４に記載の光学的ウォーターマーク。
【請求項１６】
前記ドットパターンはまた、基本的な２次元ドットアレイの非線形座標マッピングを含む、請求項１３ないし１５のうちのいずれかの１つに記載の光学的ウォーターマーク。
【請求項１７】
前記ドットパターンは、一組の基本的な及び他の形式の２次元ドットアレイに対する一組の演算の結果である、請求項１３ないし１６のうちのいずれかの１つに記載の光学的ウォーターマーク。
【請求項１８】
前記潜像オブジェクトは応用にとって重要である情報を含んでおり、前記情報は、前記文書からの番号、重要な名称、ボイド、及びコピイからなる群から選択されている、請求項１３ないし１７のうちのいずれかの１つに記載の光学的ウォーターマーク。
【請求項１９】
前記潜像オブジェクトは、変調により各ウォーターマーク層内に埋め込まれており、前記潜像オブジェクトの縁に沿ったどんな急な位相変化も平滑化されている、請求項１３ないし１８のうちのいずれかの１つに記載の光学的ウォーターマーク。
【請求項２０】
前記関連するウォーターマーク層のキャリヤドットパターンのドットパターン構造に関連するデコーダ構造を、前記潜像オブジェクトが埋め込まれている方向に有する、各ウォーターマーク層についてのデコーダが含まれ、その関係は、同じものおよび連結したものからなる群から選ばれる、請求項１３ないし１９のうちのいずれかの１つに記載の光学的ウォーターマーク。
【請求項２１】
変調後に、前記ウォーターマーク層およびそのデコーダは、各々、前記潜像オブジェクトとランダム関数とに基づいて生成される前記潜像オブジェクトの前記情報の一部を帯びている、請求項１９記載の光学的ウォーターマーク。
【請求項２２】
前記ウォーターマーク層は、互に異なっており、またそれらの層が重ねられた結果それらの層の間で干渉を回避するのに十分な程に異なっている、請求項１３ないし２１のうちのいずれかの１つに記載の光学的ウォーターマーク。
【請求項２３】
前記ウォーターマーク層の１つは偽造品を防ぐ層であり、この層のための前記デコーダはフォトコピイ機であり、そして、前記偽造品を防ぐ層で前記ウォーターマーク層を重ねた後に、非オブジェクト領域内の隣接するドットに近すぎるドットが除去される、請求項２０に記載の光学的ウォーターマーク。
【請求項２４】
保護及び認証のために文書上もしくは文書内に含まれ、前記ウォーターマークが、背景、シール、ロゴ、グラヒックデバイス、商標、及び単語からなる群から選ばれたデバイスとして、文書上もしくは文書内に含まれている、請求項１３ないし２３のうちのいずれかの１つに記載の光学的ウォーターマーク。
【請求項２５】
前記光学的ウォーターマークは色がついており、前記ウォーターマーク層は様々なカラー空間内の異なるカラーチャンネル中にあり、カラー空間CMY／CMYK，HIS，XYA，Yuv，及びRGBが使用される、請求項１３ないし２４のうちのいずれかの１つに記載の光学的ウォーターマーク。